(57)【要約】【課題】【解決手段】コンテナから滴状の液体を吐出するために、投与される液体の内容物が圧力下に置かれ得るドロッパキャップ（１０）に関する。特に滴が存在するとき信頼できる方法で所定の体積の滴が維持されることを確実にするために、絞り装置（３０）が、キャップ（１１）の本体中に配置された吐出チャネル（２０）の入口（２１）からの流れの上流の方向に配置されている。これによって、所定の体積の滴は、液体によってかけられる圧力から独立される。絞り装置は、付加的な仕切り壁（３４）中の透明な開口部（３１）として形成されてよい。また、本発明は、ドロッパキャップ（１０、１０’）を備えたコンテナ（１、１’）に関する。
2004529827.tif 000002
【特許請求の範囲】
【請求項１】
内容物がこれを吐出するための圧力下に置かれ得るコンテナから滴状の液体を吐出するための、吐出チャネルと絞り装置とが中に設けられたキャップ本体を有するドロッパキャップにおいて、前記絞り装置（３０）は、流れの方向において吐出チャネル（２０）の入口（２１）の上流に位置されていることを特徴とするドロッパキャップ。
【請求項２】
前記絞り装置（３０）は、入口（２１）から離れたところに位置されていることを特徴とする請求項１のドロッパキャップ。
【請求項３】
前記入口（２１）と絞り装置（３０）との間には、中間チャンバ（３５）が配置されていることを特徴とする請求項１もしくは２のドロッパキャップ。
【請求項４】
前記中間チャンバ（３５）の容量は、吐出チャネル（２０）の容量と等しいかこれよりも大きいことを特徴とする請求項１乃至３のいずれか１のドロッパキャップ。
【請求項５】
前記中間チャンバ（３５）は、キャップ本体（１１）とチャンバ壁（３２）とによって規定されていることを特徴とする請求項１乃至４のいずれか１のドロッパキャップ。
【請求項６】
前記絞り装置（３０）は、チャンバ壁（３２）中に設けられていることを特徴とする請求項５のドロッパキャップ。
【請求項７】
前記絞り装置（３０）は、少なくとも１つの通路開口部（３１）を有し、通路開口部の断面は、吐出チャネル（２０）の入口（２１）の断面よりも小さいことを特徴とする請求項１乃至６のいずれか１のドロッパキャップ。
【請求項８】
前記通路開口部（３１）は、入口（２１）と対向するように位置されていることを特徴とする請求項１乃至７のいずれか１のドロッパキャップ。
【請求項９】
前記通路開口部（３１）は、入口（２１）に対してオフセットされていることを特徴とする請求項１乃至８のいずれか１のドロッパキャップ。
【請求項１０】
前記チャンバ壁（３２）は、環状の壁（３３）と仕切り壁（３４）とを有し、前記絞り装置（３０）は、この仕切り壁（３４）中に設けられていることを特徴とする請求項３乃至９のいずれか１のドロッパキャップ。
【請求項１１】
前記チャンバ壁（３２）は、キャップ本体（１１）にモールド成形されていることを特徴とする請求項３乃至１０のいずれか１のドロッパキャップ。
【請求項１２】
請求項１乃至１１のいずれか１に記載されているように滴状の液体を吐出するためのドロッパキャップ（１０）を備えたコンテナ首部（３）を有し、コンテナから液体を吐出するための圧力がかけられ得る液体を収容するためのコンテナ（１）。
【請求項１３】
吐出チャネルが中に設けられたキャップ本体を備えた滴状の液体を吐出するためのドロッパキャップ（１０’）を収容するコンテナ首部を有し、コンテナから液体を吐出するための圧力がかけられ得る液体を収容するためのコンテナにおいて、絞り装置（３０）が中に設けられた仕切り壁（３４’）が、コンテナ（１）の内部（６）に配設されていることを特徴とするコンテナ。
【請求項１４】
前記仕切り壁（３４’）は、コンテナ首部（３）内に配設されていることを特徴とする請求項１３のコンテナ。
【請求項１５】
前記仕切り壁（３４’）は、コンテナの軸に直交するように配設されていることを特徴とする請求項１３のコンテナ。
【請求項１６】
前記絞り装置（３０）は、断面が吐出チャネル（２０）の入口（２１）よりも小さい、仕切り壁（３４’）中の少なくとも１つの通路開口部（３１）を有することを特徴とする請求項１３乃至１５のいずれか１のコンテナ。
【請求項１７】
前記通路開口部（３１）は、入口（２１）と対向するように位置していることを特徴とする請求項１６のコンテナ。
【請求項１８】
前記通路開口部（３１）は、入口（２１）に対してオフセットされていることを特徴とする請求項１６もしくは１７のコンテナ。
【請求項１９】
前記仕切り壁（３４’）は、ドロッパキャップ（１０’）と仕切り壁（３４’）との間のギャップの容量が吐出チャネル（２０）の容量と等しいかこれより大きくなるように配置されていることを特徴とする請求項１３乃至１８のいずれか１のコンテナ。
【請求項２０】
可撓性のコンテナ壁（２）によって特徴付けられる請求項１２乃至１９のいずれか１のコンテナ。
【請求項２１】
圧力装置を有するか、圧力装置に接続され得ることを特徴とする請求項１２乃至１９のいずれか１のコンテナ。
【発明の詳細な説明】
【技術分野】
【０００１】
本発明は、内容物がこれを吐出する圧力下に置かれ得るコンテナから滴状の液体を吐出するための、吐出チャネルと絞り装置とが中に設けられたキャップ本体を有するドロッパキャップと、更に、ドロッパキャップを有するコンテナとに関する。
【背景技術】
【０００２】
液状で使用される薬剤はチューブもしくは瓶に入れられて、これらから滴状で吐出される。投薬は滴の数と関係があるので、滴の体積が一定で吐出中に使用者によって影響を受けないことが重要である。
【０００３】
液状の薬剤がガラス瓶に入れられる場合、吐出チャネルに加えてドロッパの挿入部が、吐出中に瓶の内部に空気を流入させ得る空気ダクトを有する。
【０００４】
可撓性のプラスチック材料で形成された瓶もしくはチューブの場合、ドロッパキャップは、吐出チャネルのみを有し、液体は、コンテナ壁を押圧することによって、このチャネルを通して吐出される。ここでは、吐出チャネルが滴の大きさを厳密に規定することが重要である。
【０００５】
目薬用のドロッパ先端部は、例えばＥＰ０４３１８８５Ａ１に開示されている。吐出チャネルは、吐出開口部よりも小さな断面を有する入口を備えている。吐出開口部の大きさは、基本的に滴の大きさを決定する。最適な大きさを決定するために、使用者がコンテナ壁に圧力をかけすぎたときに液体が滴状というよりはストリームとして吐出されるのを防ぐように広範な実験が行われた。これによって、吐出チャネルの円錐形状だけでなくドロッパ先端部の外形もが、特にコンテナが斜めに保持されているときに影響を与えることが分かった。
【０００６】
ＥＰ０９５６９０４Ａ１は、コンテナ中に挿入可能なドロッパの挿入部を説明している。このドロッパ挿入部は、液体にかけられた圧力とは関係なく、液体を一定の大きさの滴として吐出することができる。この文献では、吐出開口部よりも小さな入口を有する吐出チャネルを発端として、円錐形の吐出チャネルだけでなく円筒形部を有する吐出チャネルをも提案している。
【０００７】
ＥＰ０９５６９０４Ａ１は、滴状と液体にかけられる圧力とは関係ないことを示しているが、これは常に正しいわけでないことが分かっている。特に、比較的大きな滴を作り出すように比較的大きな圧力がかけられたときには、所定の圧力バルブを発端としてストリームが吐出されたり、滴が制御されない形状になることによって所定の容量を有するようになると示されている。かくして、投与量の信頼性は低い。
【０００８】
これら従来のドロッパキャップの他の欠点は、作り出される滴の大きさが全ての液体について一定ではないということである。吐出される液体の粘度と湿潤性とによっては、吐出開口部の直径が典型的には２ｍｍ未満で小さいときでさえも、滴が制御されない形状になることがある。
【０００９】
これらの良くない影響は、比較的大きな吐出開口部、例えば５乃至１０ｍｍの直径を有するものの場合にはよく見られる。
【００１０】
しかしながら、比較的大量の液体が吐出されるときや、多数の小さな滴を苦労して計算するのを避けたいときなどは、大きな滴が望ましい。
【発明の開示】
【発明が解決しようとする課題】
【００１１】
米国特許ＵＳ５、３５６、０５２は、吐出チャネル内に絞り装置を有するドロップ・ディスペンサーを備えたプラスチック製コンテナを開示している。絞り装置は、隣接した２つの壁部分から成り、これら壁部分はスタンバイ状態のときには互いに押し合う。コンテナ壁が共に押されるにつれてコンテナ内部の圧力が高まってくるとすぐに、絞り装置を形成している壁部分が互いに離れるように押し動かされ、液体を吐出するように孔を開放する。この絞り装置の欠点は、絞り装置を開くために付加的な圧力を最初にかけなくてはならず、液体は、圧力が更にかけられた後にのみ吐出され得るという点である。かくして、比較的高い圧力が液体に作用し、その結果、液体が急に快速で吐出される。しかし、液体のストリームではなく滴が吐出されることから、滴の大きさが、使用者がかける圧力によって大きく左右される。原則として、滴の大きさの反復性は確実ではない。絞り装置が開かれる圧力は、基本的に、コンテナの材料の弾力特性に応じる。かくして、様々なタイプの材料に応じて様々の圧力がかけられなくてはならず、この圧力を使用者が調節しなくてはならない。かくして、選択されたコンテナの材料に関係なく、一定のサイズの滴として液体を吐出する方法を見つけることが望ましい。
【００１２】
かくして、本発明の１つの目的は、滴が大きいときでも所定の容量の滴を確実に吐出させることができ、ドロッパキャップを提供することである。この容量は、液体にかけられる圧力とは関係なく維持される。本発明の更なる目的は、対応するドロッパキャップを備えたコンテナを提供することである。
【課題を解決するための手段】
【００１３】
この目的は、絞り装置が流れの方向において吐出チャネルの入口より上流に設けられている、滴状の液体を吐出するためのドロッパキャップによって果たされる。
【００１４】
使用者によって液体にかけられる圧力は、吐出チャネル中に伝わらなくてよいが、吐出チャネルの領域で圧力比が低くなる程度まで吐出チャネルの上流で小さくされなくてはならない。入口より上流に設けられた絞り装置によって、上流もしくは吐出チャネル内で吐出液体にかけられる最大圧力を調節することが可能になる。絞り装置は、液体にかけられた圧力が高いときでさえも吐出チャネル内の圧力比が常に一定であることを確実にする。
【００１５】
絞り装置は、好ましくは、吐出チャネルの入口から離れたところに設けられている。液体にかけられた圧力が高いときは液体が高流速で絞り装置を通ることから、液体は、ストリームとして直接に入口中に流入し得る。この場合はストリームが吐出チャネル内に広がり、一定の滴の大きさの形成が妨げられることがある。絞り装置を少し距離を置いて配置することによって、絞り装置を通って流れる液体が、入口に達する前に分散されることが確実にされる。
【００１６】
この効果は、中間チャンバが入口と絞り装置との間に配置されている場合に更に高められる。この中間チャンバは、液体が、吐出チャネルの入口に入る前に最初にここで集まるという利点を有する。
【００１７】
中間チャンバの容量は、好ましくは、吐出チャネルの容量と等しいかこれよりも大きい。これによって、滴に必要な容量が、適当な圧力下で中間チャンバ内に準備される。
【００１８】
中間チャンバは、好ましくは、キャップ本体とチャンバ壁とによって規定されている。
【００１９】
絞り装置は、好ましくは、チャンバ壁内に設けられている。
【００２０】
絞り装置は、チャンバ壁内に吐出チャネルの入口よりも小さな直径を有する少なくとも１つの通路開口部を有してよい。フラップ弁など他の絞り装置を使用してもよい。
【００２１】
通路開口部は、入口と対向するように形成され得る。しかしながら、通路開口部が入口に対してオフセットされていても効果的である。これによって、通路開口部により形成された液体のストリームが最初に偏向され得る。従って、これの圧力は、更に減じられる。
【００２２】
チャンバ壁は、好ましくは、環状の壁と仕切り壁とから成る。環状の壁は、キャップ本体のディメンションに合わせられ得る。絞り装置は、好ましくは、仕切り壁中に設けられ得る。
【００２３】
チャンバ壁は、好ましくは、キャップ本体にモールド成形されている。
【００２４】
ドロッパキャップとコンテナとは、様々な方法で結合され得る。
【００２５】
本発明に係るドロッパキャップは、コンテナと一体の部品であってもよい。
【００２６】
しかし、製造上の理由によって、コンテナとドロッパキャップとは別々に製造され、製造後に、ドロッパキャップがコンテナの首部即ち吐出口中に挿入される。
【００２７】
これは、２つの変形例で果たされ得る。第１の変形例に関れば、本発明に係るドロッパキャップは、所定の従来のコンテナのコンテナ首部中に挿入され得る挿入部として設けられている。
【００２８】
第２の変形例に関れば、コンテナの吐出口は、吐出チャネル内に従来のドロッパキャップを有してもよい。
【００２９】
この実施形態では、絞り装置は、コンテナの仕切り壁中に設けられている。この仕切り壁は、コンテナ内部の、ドロッパキャップから離れたところに位置されている。
【００３０】
仕切り壁は、好ましくは、コンテナ首部内に位置されている。
【００３１】
好ましくは、仕切り壁は、コンテナの軸に直交するように位置されている。仕切り壁は、コンテナ中に挿入可能であるかコンテナの仕切り部分を形成している。
【００３２】
絞り装置は、好ましくは、この仕切り壁中に設けられている。
【００３３】
絞り装置は、吐出チャネルの入口よりも小さい断面を有する少なくとも１つの通路開口部を有する。吐出チャネルにかけられる最大圧力は、通路開口部の断面の選択によって調節され得る。これによって、吐出される液体が同じ圧力で吐出チャネルに入ることが確実にされ、かくして、使用者によってかけられる圧力が滴状に影響しない。
【００３４】
通路開口部は、好ましくは、入口と対向するように設けられている。この場合に重要なのは、絞り装置と入口との間の距離ができるだけ大きくされることである。これによって、流入する液体は吐出チャネルに直接到達できず、吐出チャネルの吐出開口部の端部で再びストリームを形成し得る。
【００３５】
この領域を更に改良するために、通路開口部が、好ましくは、入口に対してオフセットされている。
【００３６】
ドロッパキャップと仕切り壁との間のギャップの容量は、吐出チャネルの容量と等しいかこれより大きいのが好ましい。
【００３７】
従来のコンテナ、もしくは、本発明に係るコンテナは、好ましくは、例えばプラスチックで形成された可撓性のコンテナ壁を有する。コンテナは、チューブや、瓶や、所定の他の適当なコンテナでよい。可撓性のコンテナは、コンテナの内容物が、例えば手動で圧力下に置かれるのを可能にし、これによって、液体が吐出され得る。
【００３８】
しかし、コンテナ上もしくは内に圧力装置を設けるか、コンテナを圧力装置に接続可能にすることもできる。圧力装置は、例えば、コンテナ内部をポンピングするために用いられるポンプ機構であり、絞り装置によって液体が押出され得る。
【００３９】
ドロッパキャップは、液体密に、もしくは、圧力密にコンテナ首部中に挿入され得る。コンテナとの密な結合部は、例えばドロッパキャップを溶接することによって作られ得る。本発明の実施形態は、図面を参照して例を用いてより詳しく説明される。
【発明を実施するための最良の形態】
【００４０】
図１は、コンテナ１のコンテナ首部３の領域の縦断面を示す。このコンテナ１の内部６を規定しているコンテナ壁２は、コンテナ首部３、即ち、吐出口に配置されたドロッパキャップ１０を拡大して表し得るように部分的にのみ示されている。
【００４１】
コンテナ首部３の外側には、外側ねじ部４が形成され、これによって、ねじぶた（図示されず）でコンテナ首部３に蓋することができる。コンテナ首部３は円筒形で、底壁１３と周壁１４とを備えたほぼカップ形状のキャップ本体１１を有するドロッパキャップ１０を受けることができる。
【００４２】
前記キャップ本体１１は、中に吐出チャネル２０が設けられたディスペンサー取着部品１２を中心部に有する。このディスペンサー取着部品１２は、水平に位置された底壁１３から垂直に上方に延び、周壁１４より上方に突出している。この周壁１４は上端部に環状フランジ１５を有し、このフランジで、ドロッパキャップ１０はコンテナ首部３の端面上に設けられて、取着され得る。
【００４３】
周壁１４の外径はコンテナ首部の内径に対応している。この結果、ドロッパキャップ１０は、コンテナ首部３中に液密に挿入され得る。
【００４４】
吐出チャネル２０は、小さな直径を有する入口２１を、下端に、即ち、底壁１３の領域に有する。この入口の直径は、ディスペンサー取着部品１２の上端の吐出開口部２５の直径より小さくされている。この入口２１は、円筒形の入口２２と隣接している。この吸込み部は、吐出開口部２５の方向に広がって円錐部２３を形成している。この円錐部２３は、前記吐出開口部２５を形成しているもう１つの円筒形部２４と隣接している。吐出開口部２５の直径は、例えば、５乃至１０ｍｍの範囲でよい。吐出開口部２５の断面によって滴の大きさが決まる。
【００４５】
吐出チャネル２３は、例えば、ＥＰ０９５６９０４Ａ１に示されて説明されているような他の断面形状を有してもよい。入口は、必ずしも、吐出開口部よりも小さな断面を有さなくてもよい。液体のタイプによっては、円筒形の吐出チャネルを用いて滴を作ることが可能である。
【００４６】
中間チャンバ３５を規定するように下方に延びたチャンバ壁３２は、底壁１３にモールド成形されている。ここで示された実施形態では、チャンバ壁３２は、コンテナ首部３の内径に対応する直径を有する環状壁３３と、コンテナの軸に直交するように延びた仕切り壁３４とから成っている。
【００４７】
通路開口部３１の形の、入口２１の断面よりも小さな断面を有する絞り装置３０が、仕切り壁３４の中心に配設されている。
【００４８】
前記チャンバ壁３２は、中間チャンバ３５と共にコンテナ首部３の全長にわたって延びているドロッパキャップ１０の一体的部品である。また、比較的短いコンテナ首部３を有するコンテナでは、中間チャンバ３５は、コンテナの内部６中に突出し得る。ここに示された実施形態では、中間チャンバ３５の容量は、吐出チャネル２０の容量よりも大きい。
【００４９】
図２は、コンテナ首部３が図１に示されたコンテナ１の首部よりも短い他の実施形態を示す。中間チャンバ３５は、同様に円筒形であるが、これの容量は、図１の実施形態の場合よりも小さい。この実施形態でも、また、中間チャンバ３５の容量は、吐出チャネル２０の容量よりも大きい。
【００５０】
図１の実施形態とは異なり、通路開口部３１は偏心されており、かくして、吐出チャネル２０の入口２１に対してオフセットされている。これは、この実施形態では入口２１から仕切り壁３４までの距離が図１の実施形態の場合よりも明らかに短い場合に限って効果的である。これによって、通路開口部３１から流入する液体が入口２１に即時に送られるのが防がれる。
【００５１】
どちらの実施形態でもコンテナ壁２は可撓性材料で形成されており、この結果、このコンテナ壁２を圧迫すると、吐出される液体が、通路開口部３１を通って中間チャンバ３５と従って吐出チャネル２０中へと押出され得る。
【００５２】
図３は、コンテナ１’が改良された更なる実施形態を示す。ドロッパキャップは、図１及び２に示されたようなチャンバ壁を有さないが、コンテナ首部３中に挿入される実質的に従来のドロッパキャップ１０’である。
【００５３】
吐出チャネル２０の入口２１から離れたところに絞り装置３０を配置させ得るように、仕切り壁３４’がコンテナ首部３の下方領域内に配置されている。この仕切り壁には、偏心された通路開口部３１の形の絞り装置３０が設けられている。中間チャンバ３５’は、仕切り壁３４’とドロッパキャップ１０’の底壁１３との間に配置されている。かくして、この実施形態では、絞り装置３０は、ドロッパキャップ１０’の代りにコンテナの一部分を形成している。
【００５４】
本発明に係るコンテナ１のこの構成によって、従来のドロッパキャップ１０’を使用することが可能になる。
【００５５】
図１乃至３に示された全ての実施形態において、複数の通路開口部３１を仕切り壁３４、３４’中に配設されることが可能である。この場合、通路開口部３１の断面の合計の大きさが、吐出チャネル２０の入口２１の断面よりも小さくなくてはならない。
【図面の簡単な説明】
【００５６】
【図１】第１の実施形態に係るドロッパキャップが挿入されたコンテナの縦断面を示す。
【図２】第２の実施形態に係るドロッパキャップが挿入されたコンテナの縦断面を示す。
【図３】従来のドロッパキャップを備えた本発明に係るコンテナの縦断面を示す。
【符号の説明】
【００５７】
１、１’…コンテナ、２…コンテナ壁、３…コンテナ首部、４…外ねじ、５…吐出口、６…コンテナ内部、１０、１０’…ドロッパキャップ、１１…キャップ本体、１２…ディスペンサー取着部品、１３…底壁、１４…周壁、１５…環状フランジ、２０…吐出チャネル、２１…入口、２２…円筒形の入口部、２３…円錐部、２４…円筒形の吐出部、２５…吐出開口部、３０…絞り装置、３１…通路開口部、３２…チャンバ壁、３３…環状の壁、３４、３４’…仕切り壁、３５、３５’…中間チャンバ。
【図１】
2004529827.tif 000003
【図２】
2004529827.tif 000004
【図３】
2004529827.tif 000005
【国際公開パンフレット】
2004529827.tif 000006
2004529827.tif 000007
2004529827.tif 000008
2004529827.tif 000009
2004529827.tif 000010
2004529827.tif 000011
2004529827.tif 000012
2004529827.tif 000013
2004529827.tif 000014
2004529827.tif 000015
2004529827.tif 000016
2004529827.tif 000017
2004529827.tif 000018
2004529827.tif 000019
2004529827.tif 000020
2004529827.tif 000021
2004529827.tif 000022
2004529827.tif 000023
2004529827.tif 000024
2004529827.tif 000025
2004529827.tif 000026
【手続補正書】
【提出日】平成15年5月20日(2003.5.20)
【手続補正１】
【補正対象書類名】特許請求の範囲
【補正対象項目名】全文
【補正方法】変更
【補正の内容】
【特許請求の範囲】
【請求項１】
吐出チャネルと絞り装置とが中に設けられたキャップ本体を有し、前記絞り装置（３０）は、流れの方向において吐出チャネル（２０）の入口（２１）の上流に位置されている、内容物がこれを吐出するための圧力下に置かれ得るコンテナから滴状の液体を吐出するためのドロッパキャップにおいて、前記絞り装置（３０）は、入口（２１）から離れたところに位置され、この入口（２１）と絞り装置（３０）との間には、中間チャンバ（３５）が配置され、この中間チャンバ（３５）は、キャップ本体（１１）とチャンバ壁（３２）とによって規定されていることを特徴とするドロッパキャップ。
【請求項２】
前記中間チャンバ（３５）の容量は、吐出チャネル（２０）の容量と等しいかこれよりも大きいことを特徴とする請求項１のドロッパキャップ。
【請求項３】
前記絞り装置（３０）は、チャンバ壁（３２）中に設けられていることを特徴とする請求項１もしくは２のドロッパキャップ。
【請求項４】
前記絞り装置（３０）は、少なくとも１つの通路開口部（３１）を有し、通路開口部の断面は、吐出チャネル（２０）の入口（２１）の断面よりも小さいことを特徴とする請求項１乃至３のいずれか１のドロッパキャップ。
【請求項５】
前記通路開口部（３１）は、入口（２１）と対向するように位置されていることを特徴とする請求項１乃至４のいずれか１のドロッパキャップ。
【請求項６】
前記通路開口部（３１）は、入口（２１）に対してオフセットされていることを特徴とする請求項１乃至５のいずれか１のドロッパキャップ。
【請求項７】
前記チャンバ壁（３２）は、環状の壁（３３）と仕切り壁（３４）とを有し、前記絞り装置（３０）は、この仕切り壁（３４）中に設けられていることを特徴とする請求項１乃至６のいずれか１のドロッパキャップ。
【請求項８】
前記チャンバ壁（３２）は、キャップ本体（１１）にモールド成形されていることを特徴とする請求項１乃至７のいずれか１のドロッパキャップ。
【請求項９】
請求項１乃至８のいずれか１に記載されているように滴状の液体を吐出するためのドロッパキャップ（１０）を備えたコンテナ首部（３）を有し、コンテナから液体を吐出するための圧力がかけられ得る液体を収容するためのコンテナ（１）。
【請求項１０】
吐出チャネルが中に設けられたキャップ本体を備えた滴状の液体を吐出するためのドロッパキャップ（１０’）を収容するコンテナ首部を有し、絞り装置（３０）が中に設けられた仕切り壁（３４’）が、コンテナ（１）の内部（６）に配設されている、中の液体を吐出するための圧力がかけられ得る液体を収容するためのコンテナにおいて、前記ドロッパキャップ（１０’）は、吐出チャネル（２０）の入口（２１）を備えた底壁（１３）を有し、前記仕切り壁（３４’）は、底壁（１３）から離れたところに配設され、中間チャンバ（３５’）は、仕切り壁（３４’）と底壁（１３）との間に配置されていることを特徴とするコンテナ。
【請求項１１】
前記仕切り壁（３４’）は、コンテナ首部（３）内に配設されていることを特徴とする請求項１０のコンテナ。
【請求項１２】
前記仕切り壁（３４’）は、コンテナの軸に直交するように配設されていることを特徴とする請求項１０もしくは１１のコンテナ。
【請求項１３】
前記絞り装置（３０）は、断面が吐出チャネル（２０）の入口（２１）よりも小さい、仕切り壁（３４’）中の少なくとも１つの通路開口部（３１）を有することを特徴とする請求項１０乃至１２のいずれか１のコンテナ。
【請求項１４】
前記通路開口部（３１）は、入口（２１）と対向するように位置していることを特徴とする請求項１３のコンテナ。
【請求項１５】
前記通路開口部（３１）は、入口（２１）に対してオフセットされていることを特徴とする請求項１３もしくは１４のコンテナ。
【請求項１６】
前記仕切り壁（３４’）は、ドロッパキャップ（１０’）と仕切り壁（３４’）との間のギャップの容量が吐出チャネル（２０）の容量と等しいかこれより大きくなるように配置されていることを特徴とする請求項１０乃至１５のいずれか１のコンテナ。
【請求項１７】
可撓性のコンテナ壁（２）によって特徴付けられる請求項９乃至１６のいずれか１のコンテナ。
【請求項１８】
圧力装置を有するか、圧力装置に接続され得ることを特徴とする請求項９乃至１７のいずれか１のコンテナ。
【国際調査報告】
2004529827.tif 000027
2004529827.tif 000028
2004529827.tif 000029
2004529827.tif 000030
2004529827.tif 000031
2004529827.tif 000032